(57)【要約】【課題】可変圧縮比機構を備えたエンジンで、燃料カット後の燃料供給再開時に高圧縮比に制御されることによるトルクショックを軽減する。【解決手段】エンジンの各種運転状態を読み込みつつ（Ｓ１〜Ｓ３）燃料カット条件が成立中と判定されたときに、燃料カット中の目標圧縮比を低圧縮比ｔεＦＣＵＴに設定し（Ｓ４→Ｓ５）、該低圧縮比ｔεＦＣＵＴに収束させて燃料リカバー時の圧縮比が低圧縮比に制御されるようにする（Ｓ６，Ｓ１０）。これにより、燃料リカバー時のトルクショックが軽減される。【選択図】  図６
2004239147.tif 000002
【特許請求の範囲】
【請求項１】
圧縮比を可変とする圧縮比可変機構を備え、かつ、減速時に燃料供給を停止し、その後燃料供給を再開する燃料供給制御を行う内燃機関において、
前記燃料供給再開時に、圧縮比を低く制御することを特徴とする内燃機関の圧縮比制御装置。
【請求項２】
低負荷運転時は圧縮比を高くし高負荷運転時は圧縮比を低く制御しつつ、前記燃料供給再開時には、圧縮比を高くする低負荷運転時でも圧縮比を低く制御することを特徴とする請求項１に記載の内燃機関の圧縮比制御装置。
【請求項３】
前記燃料供給の再開を予測し、燃料供給再開前に予め圧縮比を低く制御しておくことを特徴とする請求項１または請求項２に記載の内燃機関の圧縮比制御装置。
【請求項４】
前記減速時の燃料供給停止を判断したときから予め圧縮比を低く制御しておくことを特徴とする請求項３に記載の内燃機関の圧縮比制御装置。
【請求項５】
前記予め圧縮比を低くする制御は、燃料供給再開が実行される前に一時的に行うことを特徴とする請求項３に記載の内燃機関の圧縮比制御装置。
【請求項６】
前記予め圧縮比を一時的に低くする制御は、前記燃料供給が再開される少し前の状態を判断したときから所定の低圧縮比まで徐々に減少させる制御であることを特徴とする請求項５に記載の内燃機関の圧縮比制御装置。
【請求項７】
前記圧縮比を徐々に減少させる制御は、機関回転速度の変化に応じて減少変化させる制御であることを特徴とする請求項５に記載の内燃機関の圧縮比制御装置。
【請求項８】
前記圧縮比を機関回転速度の変化に応じて減少変化させる制御は、燃料供給停止時に応じて設定した高圧縮比と燃料供給再開時用に設定した低圧縮比とを加重平均処理した目標圧縮比とする制御であることを特徴とする請求項７に記載の内燃機関の圧縮比制御装置。
【請求項９】
燃料供給を再開した後、前記低く設定された圧縮比を機関運転状態に応じて設定した目標圧縮比まで徐々に増大させることを特徴とする請求項１〜請求項８のいずれか１つに記載の内燃機関の圧縮比制御装置。
【請求項１０】
前記燃料供給を再開した後に圧縮比を徐々に増大させる制御は、燃料供給再開時用に設定した低圧縮比と機関運転状態に応じて設定した圧縮比とを加重平均処理した目標圧縮比とする制御であることを特徴とする請求項９に記載の内燃機関の圧縮比制御装置。
【発明の詳細な説明】
【０００１】
【発明の属する技術分野】
本発明は、圧縮比を可変に制御する内燃機関において、燃料供給停止（燃料カット）後の燃料供給再開（燃料リカバー）時の圧縮比制御技術に関する。
【０００２】
【従来の技術】
圧縮比を可変にできる内燃機関においては、低負荷側を高圧縮比、高負荷側を低圧縮比とすることによって、燃料消費率を向上させつつ、ノッキングの発生を防止するようにしたものがある（特許文献１参照）。
【０００３】
一方、内燃機関では、アクセルが全閉になるような急激な減速時には、エンジンブレーキを効かせるためや、燃料消費量を抑制するために、一時的に燃料噴射量を減少または噴射停止（燃料カット）するように制御することが行われている。
【０００４】
そして、燃料カットが解除される燃料リカバー時には一度に全気筒の燃料噴射を再開せずに、特定の気筒から再開させたり、気筒を複数のグループに分けて、そのグループ毎に燃料噴射を再開させるようにしているものもある。
【０００５】
また、燃料リカバー時に一時的に空燃比をリーン方向にシフトさせて、発生するトルクを低減することで、トルクショックを低減しているものもある。
【０００６】
【特許文献１】
特開平０７−２２９４３１号公報
【０００７】
【発明が解決しようとする課題】
しかしながら、上記従来の圧縮比制御方式では、上記燃料リカバー時に以下のような問題が発生することがわかった。
【０００８】
すなわち、圧縮比を可変にできるエンジンにおいて、燃料カット条件が未成立となり燃料噴射を再開する場合に、実際の圧縮比が大きいままになっていると、同一の燃料噴射量であっても発生するトルクが大きいため（同一の吸気量、空燃比、点火時期としても）、燃料が噴射され燃焼が再開されるときのトルクショックが大きくなり、運転性が悪化してしまう。
【０００９】
既述のように、燃料リカバー時には、一度に全ての気筒の燃料噴射を再開せずに、特定の気筒から間隔をおいて順番に再開させたり、気筒を複数のグループに分けて、そのグループ毎に燃料噴射を再開させるようにしてトルクショックを軽減する方式とすると、噴射を再開した気筒は圧縮比が大きいためトルクが大きく、その他のまだリカバーされていない気筒の発生するトルクが小さい（マイナストルク）ため、気筒間のトルク差が大きくなり、機関回転にムラが発生したようになり回転ばらつきの要因となりやすい。
【００１０】
また、燃料リカバー時に一時的に空燃比をリーン方向にシフトさせて、発生するトルクを低減する方式とすると、一時的に全気筒がリーンの空燃比で運転されるため、気筒内で発生するトルクが低下することで、燃料リカバー時のトルクショックは低減される方向であるが、空燃比がリーンであることで排気の残留酸素分が増加してしまうので、三元触媒の還元作用が機能できないため、その間一時的に排気成分の悪化（急激なＮＯｘの増加）を避けることができない。
【００１１】
本発明は、このような従来の課題に着目してなされたもので、圧縮比を可変な内燃機関において、燃料リカバー時の圧縮比制御により機関回転変動や排気浄化性能の悪化を伴うことなくトルクショックを軽減することを目的とする。
【００１２】
【課題を解決するための手段】
このため本発明は、燃料リカバー時には強制的に圧縮比を低く制御する構成とした。
【００１３】
このようにすれば燃料リカバー時には運転状態の基づく圧縮比は高圧縮比であっても、圧縮比が低く制御されるのでトルクショックを軽減できる。
【００１４】
【発明の実施の形態】
以下に、本発明の実施形態を図に基づいて説明する。
図１は、可変圧縮比機構ともなる複リンク式ピストン−クランク機構を備えたエンジン（内燃機関）の全体図である。
【００１５】
クランク軸３１は、複数のジャーナル部３２とクランクピン部３３とカウンタウエィト部３１ａとを備えており、エンジン本体となる図示しないシリンダブロックの主軸受に、ジャーナル部３２が回転自在に支持されている。前記クランクピン部３３は、ジャーナル部３２から所定量偏心しており、ここに第２リンクとなるロアーリンク３４が回転自在に連結されている。
【００１６】
前記ロアーリンク３４は、略Ｔ字形をなすもので、その本体３４ａとキャップ３４ｂとから分割可能に構成された略中央の連結孔に前記クランクピン部３３が嵌合している。
【００１７】
第１リンクとなるアッパーリンク３５は、下端側が連結ピン３６によりロアーリンク３４の一端に回動可能に連結され、上端側がピストンピン３７によりピストン３８に回動可能に連結されている。前記ピストン３８は、燃焼圧力を受け、シリンダブロックのシリンダ３９内を往復動する。
【００１８】
前記シリンダ３９の上部には、クランク軸３１の回転に同期して吸気ポート４４を開閉する吸気弁４３と、同じくクランク軸３１の回転に同期して排気ポート４６を開閉する排気弁４５と、が配置されている。吸気ポート４には、燃料噴射弁３０が備えられる。燃料噴射弁は燃焼室内に直接噴射するものであってもよい。
【００１９】
第３リンクとなる制御リンク４０は、上端側が連結ピン４１によりロアーリンク３４の他端に回動可能に連結され、下端側が制御軸４２を介してエンジン本体例えばシリンダブロックの適宜位置に回動可能に連結されている。詳しくは、制御軸４２は、小径部４２ｂを中心として回転するようにエンジン本体に支持されており、この小径部４２ｂに対し偏心している大径部４２ａに、前記制御リンク４０下端部が回転可能に嵌合している。
【００２０】
前記小径部４２ｂは、圧縮比制御アクチュエータ４３によって回動位置が制御される。小径部４２ｂが回動すると小径部４２ｂに対して偏心している大径部４２ａの軸中心位置、特に、エンジン本体に対する相対位置が変化する。これにより、制御リンク４０の下端の揺動支持位置が変化する。そして、前記制御リンク４０の揺動支持位置が変化すると、ピストン３８の行程が変化し、ピストン上死点（ＴＤＣ）におけるピストン３８の位置が上下する（つまり図１のｙ座標が大きく）。これにより、エンジン圧縮比を変えることが可能となる。前記圧縮比制御アクチュエータ４３は、制御リンク４０から加わる反力に抗して、任意の回動位置で小径部４２ｂを保持することができるようになっている。圧縮比制御アクチュエータ４３としては、油圧ベーン式アクチュエータを用いる。
【００２１】
図２〜図４は、該圧縮比制御アクチュエータ４３を制御する油圧システムを示す。図において、圧縮比制御アクチュエータ４３は、ハウジング４３ａ内に前記小径部４２ｂに連結された駆動軸４３ｂ及び該駆動軸４３ｂに固定されてハウジング４３ａ内を容積可変なＡ室とＢ室とに仕切るベーン４３ｃが回動自由に収納される。一方、電動モータ１０１で駆動されるオイルポンプ１０２の吐出口が、逆止弁１０３，開閉弁１０４，方向切換弁１０５のポートｃに接続され、該方向切換弁１０５のポートｄが低圧側のオイルパン１０６に接続される。また、前記方向切換弁１０５のポートｅ，ｆが、それぞれ前記圧縮比制御アクチュエータ４３のポートａ，ｂに接続される。また、前記逆止弁１０３と開閉弁１０４との間から分岐するオイル通路にアキュームレータ１０７が接続され、開閉弁１０４と方向切換弁１０５との間から分岐するオイル通路がエンジンオイルギャラリーに接続される。
【００２２】
そして、図２の状態では前記開閉弁１０４が開、方向切換弁１０５が図示左端に制御され、オイルポンプ１０２から吐出された高圧油は、開閉弁１０４、方向切換弁１０５のポートｃ，ｅを介して前記圧縮比制御アクチュエータ４３のポートａからＡ室に供給され、Ｂ室内の油は、ポートｂから方向切換弁１０５のポートｆ，ｄを介してオイルパン１０６に戻される。これにより、Ａ室の容積が増大してベーン４３ｃと共に小径部４２ｂが図で時計回りに回動し、制御リンク４０の揺動支持位置が変化して低圧縮比に制御される。
【００２３】
一方、上記状態から図３に示すように、方向切換弁１０５を図示右端に切換制御すると、高圧油は、開閉弁１０４のポートｃ，ｆを介して前記圧縮比制御アクチュエータ４３のポートｂからＢ室に供給され、Ａ室内の油は、ポートａから方向切換弁１０５のポートｅ，ｄを介してオイルパン１０６に戻される。これにより、Ｂ室の容積が増大してベーン４３ｃと共に小径部４２ｂが図で反時計回りに回動し、制御リンク４０の揺動支持位置が変化して高圧縮比に制御される。高圧縮比側に保持する場合は、図４に示すように、方向切換弁１０５を図示中央に移動させると共に、開閉弁１０４を閉とする。
【００２４】
図１に戻って、このエンジンは、過給機としてターボ過給機５１を備えている。このターボ過給機５１は、排気通路５４に位置するタービン５２と吸気通路５５に位置するコンプレッサ５３とを同軸状に配置した構成であり、運転条件に応じて過給圧を制御するために、タービン５２の上流側から排気の一部をバイパスさせる排気バイパス弁５６を備えている。
【００２５】
また、前記コンプレッサ５３下流の吸気通路５５にＥＧＲ量を可変制御するスロットル弁５７を備え、該スロットル弁５７がステップモータなどのスロットルアクチュエータ５８により駆動される。
【００２６】
また、前記排気通路５４のエンジン本体とタービン５２との間から分岐してスロットル弁５７下流の吸気通路５５に接続するＥＧＲ通路５９と、該ＥＧＲ通路５９に介装されたＥＧＲ弁６０とが設けられている。
【００２７】
前記ＥＧＲ弁６０は、例えば、ステップモータを用いた電子制御式のものであり、その開度に応じて吸気側に還流する排気の量、すなわち、エンジン本体に吸入されるＥＧＲ量を制御する。
【００２８】
エンジン運転状態を検出するセンサ類として、ドライバにより操作されるアクセル開度を検出するアクセル開度センサ６１、エンジン回転速度を検出する回転速度センサ６２、車速を検出する車速センサ６３、変速機のニュートラル位置でＯＮとなるニュートラルスイッチ６４、エンジン冷却水温度を検出する水温センサ６５、排気中酸素濃度から空燃比を検出する空燃比センサ６６、吸入新気量を検出するエアフローメータ６７、実圧縮比を検出する圧縮比センサ６８が設けられ、これらセンサ類からの検出信号は、エンジンコントロールユニット（ＥＣＵ）６９に入力される。
【００２９】
かかる構成のエンジンにおいて、前記ＥＣＵ６９は、各種エンジン制御（燃料噴射制御、点火制御等）と共に、前記可変圧縮比機構による圧縮比の制御を実行する。特に、本発明に係る制御として燃料リカバー時のトルクショック軽減のための圧縮比制御を以下のように実行する。
【００３０】
図５は、前記圧縮比制御の第１実施形態における制御ブロック、図６はメインフローを示す。
図６において、ステップ（図ではＳと記す。以下同様）１では、回転速度センサ６２によって検出されるエンジン回転速度ｒＮｅ１を読み込む。
【００３１】
ステップ２では、アクセル開度センサ６１によって検出されるアクセル開度ｒＡＰＯ１を読み込む。
ステップ３では、水温センサ６５によって検出されるエンジン水温ｒＴｗ１を読み込む。
【００３２】
ステップ４では、燃料カット条件が成立中か否かを、燃料カット許可フラグＦＬＧ＿ＦＣＵＴの値により判定する。該燃料カット許可フラグＦＬＧ＿ＦＣＵＴの値をセットするルーチンを、図７に基づいて説明する。
【００３３】
ステップ２１，２２では、エンジン回転速度ｒＮｅ１、アクセル開度ｒＡＰＯ１を読み込む。
ステップ２３では、前記車速センサ６３によって検出される車速ｒＶＳＰ１を読み込む。
【００３４】
ステップ２４では、前記ニュートラルスイッチ６４の状態ｓｗＮＵＴを読み込む。
ステップ２５では、前記ステップ１１〜１４で読み込んだ情報に基づいて、燃料カット条件が成立するか否かを判定する。具体的には、エンジン回転速度ｒＮｅ１が判定速度＃ＦＣＵＴＮＥ以上、アクセル開度ｒＡＰＯ１が判定開度＃ＦＣＵＴＡＰＯ以下、車速ｒＶＳＰ１が判定車速＃ＦＣＵＶＳＰ以上、ニュートラルスイッチ６４の状態ｓｗＮＵＴが１つまりニュートラル位置でないときの全ての条件が成立したときに、燃料カット条件が成立したと判定する。
【００３５】
ステップ２５で燃料カット条件が成立したと判定したときは、ステップ２６へ進んで燃料カットを許可するため、燃料カット許可フラグＦＬＧ＿ＦＣＵＴの値を１にセットし、燃料カット条件が成立しないと判定したときは、ステップ２７へ進んで燃料カットを禁止するため、燃料カット許可フラグＦＬＧ＿ＦＣＵＴの値を０にリセットする。
【００３６】
図６に戻って、ステップ４で燃料カット条件が成立中（ＦＬＧ＿ＦＣＵＴ＝１）と判定されたときは、ステップ５へ進んで燃料カット中の目標圧縮比＃ｔεＦＣＵＴを算出する。具体的には、燃料カット中から予め燃料リカバー時のトルクショックを回避するための低い圧縮比に合わせて設定する。
【００３７】
ステップ６では、ステップ５で設定した目標圧縮比＃ｔεＦＣＵＴに滑らかに近づけるため、最終的な目標圧縮比ｔεを次式のように加重平均処理する。
ｔε＝ｔε（−１）×（１−＃ＧＡＩＮ）＋＃ｔεＦＣＵＴ×＃ＧＡＩＮ
ただし、＃ＧＡＩＮ：重み係数
ｔε（−１）：目標圧縮比ｔεの前回設定値
また、ステップ４で燃料カット条件が非成立中（ＦＬＧ＿ＦＣＵＴ＝０）と判定されたときは、ステップ７へ進んで、前記エンジン回転速度ｒＮｅ１とエンジン負荷の代表値であるアクセル開度ｒＡＰＯ１とに基づいて、図８に示した基本目標圧縮比マップを参照して基本目標圧縮比ｔε０を算出する。ここで、図９に示すように、圧縮比が高いほど発生トルクが増大する傾向にあり、発生トルク（エンジン負荷）が大きくなるほどノッキング発生傾向が増大する。そこで、図８では、基本目標圧縮比ｔε０をアクセル開度（エンジン負荷代表値）が大きくなるほどノッキング抑制のため小さくするが、高回転領域では充填効率が低下するので少しｔε０を大きめに設定してある。
【００３８】
ステップ８では、前記エンジン水温ｒＴｗ１に基づいて、図１０に示した水温補正係数テーブルを参照して圧縮比の水温補正係数ｈｏｓ＿Ｔｗε１を算出する。
【００３９】
ステップ９では、前記基本目標圧縮比ｔε０を、次式のように前記水温補正係数ｈｏｓ＿Ｔｗε１を乗じて補正し、目標圧縮比ｔεを算出する。
ｔε＝ｔε０×ｈｏｓ＿Ｔｗε１
ステップ１０では、前記ステップ６またはステップ９で算出した目標圧縮比ｔεをセットする。これにより、前記可変圧縮比機構が駆動されて実圧縮比が目標圧縮比ｔεとなるように制御される。
【００４０】
図１１は、上記圧縮比制御と並行して行われる燃料噴射量制御のルーチンを示す。
ステップ３１では、エンジン回転速度ｒＮｅ１を読み込む。
【００４１】
ステップ３２では、前記エアフローメータ６７により検出された吸入空気量ｒＱａ１を読み込む。
ステップ３３では、エンジン水温ｒＴｗ１を読み込む。
【００４２】
ステップ３４では、次式により、基本燃料噴射量ｔＴＰ０を算出する。
ｔＴＰ０＝ｒＱａ１×＃ＫＣＯＮＳＴ
ただし、＃ＫＣＯＮＳＴ：定数
ステップ３５では、前記基本燃料噴射量ｔＴＰ０のエンジン水温ｒＴｗ１等による補正係数ＣＯＥＦを算出する。
【００４３】
ステップ３６では、前記空燃比センサ６６によって検出される空燃比に基づいて空燃比フィードバック補正係数ＡＬＰＨＡを比例積分制御等により算出する。
ステップ３７では、前記燃料噴射弁３０の無効噴射パルス幅Ｔｓを算出する。
【００４４】
ステップ３９では、燃料カット条件が成立中か否かを、燃料カット許可フラグＦＬＧ＿ＦＣＵＴの値により判定する。
ステップ３９で燃料カット条件が成立中（ＦＬＧ＿ＦＣＵＴ＝１）と判定されたときは、ステップ４０へ進んで燃料カット中の目標燃料噴射量Ｔｅを０にセットする。
【００４５】
また、また、ステップ３９で燃料カット条件が非成立中（ＦＬＧ＿ＦＣＵＴ＝０）と判定されたときは、ステップ４１へ進んで、通常運転時の目標燃料噴射量Ｔｅを次式により算出する。
【００４６】
Ｔｅ＝ｔＴＰ０×ＣＯＥＦ×ＡＬＰＨＡ＋Ｔｓ
ステップ４１では、上記ステップ３９またはステップ４０で算出された目標燃料噴射量Ｔｅをセットする。これにより、前記燃料噴射弁３０が駆動されて燃料噴射量が目標燃料噴射量ｔＴｅとなるように制御される（燃料カット時は、燃料噴射が停止される）。
【００４７】
図１２は、第１の実施形態による動作を示す。燃料カット中に圧縮比が低い固定値＃ｔεＦＣＵＴに維持されるので、燃料カット後の燃料リカバー時に前記低圧縮比＃ｔεＦＣＵＴで燃料噴射が再開され、トルクショックを軽減できる。ここで、本実施形態では図６で示したように、燃料リカバーと同時に目標圧縮比は低負荷状態（アクセル開度は燃料リカバー時も０に維持されている）に応じて設定された高圧縮比に切り換えられるが、既述したように圧縮比制御の遅れがあるので、燃料リカバー直後の実圧縮比は低圧縮比に維持され、トルクショックを軽減できる。
【００４８】
点線は、比較として従来特性を示し、燃料カット中には低負荷に対応して高圧縮比に維持されるため、燃料リカバー時のトルクショックが大きい（なお、高圧縮比によるポンピングロス増大により燃料リカバーが早まる）。
【００４９】
次に、第２の実施形態を説明する。図１３は制御ブロック、図１４はメインフローを示し、第１の実施形態との相違は、ステップ４で燃料カット条件が成立中と判定されたときに、ステップ４１で燃料供給が再開されるエンジン回転速度（リカバー回転速度）に近づいたかを判定し、該リカバー回転速度に近づいたと判定されたときにステップ５へ進んで、燃料カット中の目標圧縮比＃ｔεＦＣＵＴを算出するようにした点である。なお、ステップ４１でのリカバー回転速度に近づいたかの判定は、具体的には、次式の条件が成立するかで判定する。
【００５０】
ｒＮｅ≦＃ＧＥＴＡ＿ＦＣＵＴＲＥＣ＋＃ＦＣＵＴＮＥ
ただし、＃ＧＥＴＡ＿ＦＣＵＴＲＥＣ：リカバー回転速度
＃ＦＣＵＴＮＥ：上乗せ回転速度分
すなわち、エンジン回転速度がリカバー回転速度に前記上乗せ回転速度分＃ＦＣＵＴＮＥを加算した回転速度まで減少したときに圧縮比の減少制御が開始される。ここで、前記上乗せ回転速度分＃ＦＣＵＴＮＥは、予め決められた固定値でもよいが、水温などのような運転条件によって割り付けられたマップ値やテーブル値、またはリカバー回転速度に対する、実エンジン回転速度の割合としても良く、その場合より精度良く圧縮比を変化させる判定を行う事ができる。
【００５１】
図１５は、第２の実施形態による動作を示す。燃料カット開始後、圧縮比は通常運転時に合わせて低負荷に応じた高圧縮比に切り換えられ、リカバー回転速度に近い回転速度（＝＃ＧＥＴＡ＿ＦＣＵＴＲＥＣ＋＃ＦＣＵＴＮＥ）になってからトルクショック軽減のための低圧縮比＃ｔεＦＣＵＴに切り換えられる。
【００５２】
このようにすれば、燃料カット中は低負荷でありノッキングの心配も低いことから、できるだけ高い圧縮比として、運転者が要求する充分なエンジンブレーキによる減速度を得ることができるようにしておき、リカバー回転速度に近づいてから初めて圧縮比を小さい値に切り換えることで、第１の実施形態同様の燃料リカバー時のトルクショックの低減と、燃料カット中の高圧縮比によるエンジンブレーキの効きとを両立することができる。
【００５３】
次に、第３の実施形態について説明する。図１６は制御ブロック、図１７はメインフローを示し、第２の実施形態の構成に加えて、燃料リカバー時にステップ９で基本目標圧縮比ｔε０を水温補正係数ｈｏｓ＿Ｔｗε１を乗じて補正して目標空燃比ｔε’とした後、さらにステップ９１でエンジン回転変化量に応じた補正を行って最終的な目標圧縮比ｔεを算出する点が相違する。
【００５４】
具体的には、ステップ９１で次式のような加重平均処理により目標圧縮比ｔεを算出する。
ｔε＝ｔε（−１）×（１−＃ＧＡＩＮＵＰ）＋ｔε’×＃ＧＡＩＮＵＰ
ただし、＃ＧＡＩＮＵＰ：重み係数
ｔε（−１）：ｔεの前回値
すなわち、既述したように第１，第２の実施形態でも可変圧縮比機構の作動遅れにより燃料リカバー直後の実圧縮比は低圧縮比に維持されてトルクショックを軽減できるが、本実施形態では目標圧縮比も加重平均処理によって徐々に切り換えることで、実圧縮比を機関回転速度の変化に応じてより緩やかに変化させることができ、燃料リカバー後のトルク変化が最小限に押さえられ、よりいっそう滑らかなつながりを得ることができる。
【図面の簡単な説明】
【図１】本発明に係るＥＧＲ制御装置を備えたエンジンのシステム構成図。
【図２】同上装置の圧縮比可変機構により低圧縮比に操作するときの動作を示す図。
【図３】同じく高圧縮比に操作するときの動作を示す図。
【図４】同じく高圧縮比に維持するときの動作を示す図。
【図５】第１の実施形態の制御ブロック図。
【図６】同じくメインフローを示す図。
【図７】同じく燃料カット判定のサブルーチンを示す図。
【図８】同じく基本目標圧縮比の設定マップ。
【図９】同じく圧縮比とトルクの関係を示す特性図。
【図１０】同じく水温補正係数の設定マップ。
【図１１】同じく燃料噴射量設定のサブルーチンを示す図。
【図１２】同じく第１の実施形態の作用・効果を示すタイムチャート。
【図１３】第２の実施形態の制御ブロック図。
【図１４】同じく同じくメインフローを示す図。
【図１５】同じく第２の実施形態の作用・効果を示すタイムチャート。
【図１６】第３の実施形態の制御ブロック図。
【図１７】同じくメインフローを示す図。
【図１８】同じく第３の実施形態の作用・効果を示すタイムチャート。
【符号の説明】
３０…燃料噴射弁    ３１…クランク軸    ３４…ロアーリンク    ３５…アッパーリンク    ３８…ピストン    ４０…制御リンク    ４２…制御軸    ４３…圧縮比制御アクチュエータ    ５１…ターボ過給機    ５７…スロットル弁
５８…スロットルアクチュエータ    ５９…ＥＧＲ通路    ６０…ＥＧＲ弁
６１…アクセル開度センサ    ６２…回転速度センサ    ６３…車速センサ
６４…ニュートラルスイッチ    ６５…水温センサ    ６７…エアフローメータ    ６８…圧縮比センサ    ６９…ＥＣＵ
【図１】
2004239147.tif 000003
【図２】
2004239147.tif 000004
【図３】
2004239147.tif 000005
【図４】
2004239147.tif 000006
【図５】
2004239147.tif 000007
【図６】
2004239147.tif 000008
【図７】
2004239147.tif 000009
【図８】
2004239147.tif 000010
【図９】
2004239147.tif 000011
【図１０】
2004239147.tif 000012
【図１１】
2004239147.tif 000013
【図１２】
2004239147.tif 000014
【図１３】
2004239147.tif 000015
【図１４】
2004239147.tif 000016
【図１５】
2004239147.tif 000017
【図１６】
2004239147.tif 000018
【図１７】
2004239147.tif 000019
【図１８】
2004239147.tif 000020